(57)【特許請求の範囲】
【請求項１】
一端が接続用の軸（３）を介してドアのヒンジ部（４）に枢着されているとともに、他端が保持手段（２０，２２，２４，２８，５５）を介して基部（５０）に枢着されているヒンジアーム（１）を備えたフレーム付きの家具用の小型ヒンジであって、
上記保持手段は、保持アーム（２０）と、アーム部（２４）と、摩擦により位置が維持される第１の偏心調整用部品（５５）と、摩擦により位置が維持される第２の偏心調整用部品（２２）と、摩擦により位置が維持される第３の偏心調整用部品（２８）とを備え、
上記第１の偏心調整用部品（５５）による保持は、上記接続用の軸（３）と平行な方向への変位（Ｃ）を許容し、
上記第２の偏心調整用部品（２２）により、上記ヒンジアーム（１）が上記保持アーム（２０）に変位可能に保持されており、
上記第２の偏心調整用部品（２２）は、上記第１の偏心調整用部品（５５）による変位（Ｃ）の方向に対して垂直な方向への変位（Ｂ）を許容するように構成され、
上記第３の偏心調整用部品（２８）により、上記保持アーム（２０）が上記アーム部（２４）に変位可能に保持されており、
上記第３の偏心調整用部品（２８）は、上記第１及び第２の偏心調整用部品（５５，２２）による変位の方向に対して略垂直な方向への変位（Ａ）を許容するように構成され、
上記第１，第２及び第３の偏心調整用部品（５５，２２，２８）は、取外しできないようにリベット留めされ、上記ヒンジアーム（１）と上記保持アーム（２０）と上記アーム部（２４）とは取外し不可能な状態で互いに接続されていることを特徴とするフレーム付きの家具用の小型ヒンジ。
【請求項２】
上記基部（５０）は、上記第１の偏心調整用部品（５５）により上記アーム部（２４）が変位可能に保持される基板で構成されていることを特徴とする請求項１記載のフレーム付きの家具用の小型ヒンジ。
【請求項３】
上記基板（５０）には、少なくとも１つの案内部（５６，５７）が上記接続用の軸（３）に対して平行に延びるように形成されており、
上記少なくとも１つの案内部（５６，５７）は、上記アーム部（２４）の被案内要素（２５，５８，５９）と共働して上記アーム部（２４）を上記接続用の軸（３）に対して平行に案内するように構成されていることを特徴とする請求項２記載のフレーム付きの家具用の小型ヒンジ。
【請求項４】
上記基板（５０）には、上記案内部としての溝穴（５７）が上記接続用の軸（３）に対して平行に延びるように形成されており、
上記溝穴（５７）に上記アーム部（２４）の上記被案内要素である突出部（５８）が係合していることにより、上記基板（５０）と上記アーム部（２４）との間で上記接続用の軸（３）に対して平行な移動のみが許容されるように構成されていることを特徴とする請求項３記載のフレーム付きの家具用の小型ヒンジ。
【請求項５】
上記保持アーム（２０）、上記アーム部（２４）及び上記基板（５０）は、それぞれ穴状の要素（２６，２５，５６）を有し、該各穴状の要素（２６，２５，５６）には、１つの交差ピン（２７）が挿通されていることを特徴とする請求項３又は４に記載のフレーム付きの家具用の小型ヒンジ。
【発明の詳細な説明】
【０００１】
【発明の属する技術分野】
本発明はヒンジに関し、特に、一端が接続用の軸を介してドアのヒンジ部に枢着されているとともに、他端が保持手段を介して基部、好ましくは基板に枢着されているヒンジアームを備えたヒンジに関する。
【０００２】
【従来の技術】
この種のヒンジは、例えば家具の壁部にドアリーフを取り付けるために用いられる（例えば特許文献１参照）。この従来のヒンジの使用に伴い、ヒンジと家具の壁部との間には一定のねじ接続が形成される。その場合、ヒンジが垂直方向に調整可能となり、ドアリーフが家具の壁部に対して垂直方向に調整可能となるような取付けが望ましい。
【０００３】
そのため、別の従来技術では、ヒンジを家具に壁部に取り付ける機能を果たす取付け用ねじを緩めたときに、ヒンジの基板に設けられた長円形の開口に沿ってヒンジが垂直に変位できるような取付けが行われている（例えば特許文献２参照）。この従来技術においては、ドアリーフと家具本体との間の隙間の幅を変更するために、家具本体に向かってドアリーフを変位させる偏心調整用部品の使用がさらに説明されている。つまり、ここで説明されているヒンジは、長円形の開口に沿った垂直方向の調整とは別に、偏心要素を用いたドアと家具本体との間の隙間の調整を可能にする機構を有している。
【０００４】
【特許文献1】
米国登録特許第６３６０４０１号明細書
【０００５】
【特許文献２】
独国実用新案第２９９２０９４５号明細書
【０００６】
【発明が解決しようとする課題】
しかしながら、上述のような調整を行うためには、連結を解くための複雑な部品が必要となる。
【０００７】
従って、本発明の目的は、設置時のサイズが小さく、家具本体に対するドアリーフの高さを容易に調整できるヒンジを提供することである。
【０００８】
【課題を解決するための手段】
上記目的は、請求項１の特徴を有するヒンジにより達成される。また、本発明の有利な態様が従属の請求項の主題となっている。
【０００９】
本発明によれば、保持手段は、接続用の軸と平行な方向への変位を許容する第１の偏心調整用部品を備えており、上記保持手段を介してヒンジアームが基部に対して変位可能に保持されている。
【００１０】
このような偏心調整用部品により、設置後でも、ヒンジの高さの調節が可能となり、それにより家具本体に対するドアの高さの調節が可能となる。この点に関連して、ここで用いる「高さ」という言葉は、クロゼット等の家具の縦長のドアを例にとり本発明の理解を容易にするために用いている。そのため、本発明がフラップドア又はその他の閉鎖用の部材にも同様に適用可能であることは言うまでもない。従って、ここでは、「高さ」の調節とは、空間内で垂直位置を必ずしも調整する必要のない上記接続用の軸が延びる空間方向への調節であることが理解できる。
【００１１】
本発明の解決手段によれば、設置時の嵩が小さくなると同時に、高さ調整が極めて容易に行い得る。
【００１２】
さらに、上記第１の偏心調整用部品の位置が摩擦により維持されるように構成されている場合、高さ調整等の作業はより容易になる。
【００１３】
本発明に係るヒンジによれば、上記保持手段は、保持アームと第２の偏心調整用部品とをさらに備え、この第２の偏心調整用部品により上記ヒンジアームが上記保持アームに変位可能に保持されており、上記第２の偏心調整用部品は、上記第１の偏心調整用部品による変位の方向に対して垂直な方向への変位を許容する。このような第２の偏心調整用部品を用いることにより、上記ヒンジの調節及び調整が「高さ」についてのみではなく、さらに別の空間方向についても容易に行うことができ、しかもこれらの調節が取付け後でも可能になる。上記第２の偏心調整用部品もその位置が摩擦により維持されるように構成されていることが有利である。
【００１４】
さらに本発明によれば、上記保持手段は、アーム部と第３の偏心調整用部品とをさらに備え、上記第３の偏心調整用部品により上記保持アームが上記アーム部に変位可能に保持されており、上記第３の偏心調整用部品は、上記第１及び第２の偏心調整用部品による変位の方向に対して略垂直な方向への変位を許容する。この態様により、取付け後も、設置のためのスペースを小さく抑えつつ、全ての３つの空間方向へのヒンジの調節を容易に行うことができる。
【００１５】
本発明に係るヒンジのサイズをさらに低減するため、リベット留めされた偏心調整用部品を介して、上記各部が取外し不可能な状態で互いに接続されるような有利な手段を講じる。
【００１６】
本発明に係るヒンジは、極めて小さくかつコンパクトに構成することが可能であるため、フレーム付きの家具への使用に特に適している。また、従来のヒンジと比べてドアと家具本体との間の隙間は大幅に狭められ、しかも取付け時には、ほんの僅かなスペースしか必要としない。従って、本発明は、構造の小さな又はコンパクトなフレーム付き家具用のヒンジに関するものである。
【００１７】
本発明の特別な態様において、上記第１の偏心調整用部品は、上記アーム部のうち上記第３の偏心調整用部品から遠く、かつ上記アーム部を基板に対して接続する役割を果たす部分に設けられている。この基板は、例えば、上記ヒンジを家具の本体に取り付けるために用いられる。このようなさらなる態様において、ドアリーフ等に接続された上記ヒンジアームは、３つの偏心調整用部品を介し、家具等に取り付けられた基板に接続される。
【００１８】
この本発明の態様に係るヒンジにおいて、上記基板には、案内部が上記接続用の軸に対して平行に延びるように形成されており、上記案内部は、上記アーム部の被案内要素と共働して上記アーム部を上記接続用の軸に対して平行に案内することが好ましい。このような案内部により、上記ヒンジの「高さ」の調整時にカンティング（ｃａｎｔｉｎｇ）が生じることを確実に防止できる。
【００１９】
本発明の簡便な態様において、上記案内部は、上記基板に設けられた溝穴により構成されており、上記溝穴に上記アーム部の上記被案内要素である突出部が係合していることにより、上記基板と上記アーム部との間では上記接続用の軸に対して平行な移動のみが許容される。
【００２０】
上記保持アーム、上記アーム部及び上記基板が穴状の要素をそれぞれ有し、これら穴状の要素に１つの交差ピンが挿通されている場合、さらなる保持作用を生じさせることができる。この共通の交差ピンにより、ヒンジの構造を小さくしたままで、信頼性の高い位置合わせを個々の要素間において確実に行うことができる。
【００２１】
【発明の実施の形態】
以下、図面を参照しながら本発明の実施形態を詳細に説明する。図１及び図２に示すヒンジは、図６及び図７に示すように、湾曲部が設けられたヒンジアーム１を備えている。ヒンジアーム１の下部の丸く巻かれた端部２は、接続用の軸３を取り囲んでおり、言わば接続用の軸３のための軸受け内径面を構成している。接続用の軸３は、通常の方法により、ポット状のヒンジ部４の側壁部において変位不可能な状態で支承されている。舌部３１は、対応する切欠きにより、ポット状のヒンジ部４の基部７から湾曲している。これにより、基部７には、板ばね１０の後端部９が挿入される溝穴が形成されている。カム１５は、ヒンジアーム１の丸く巻かれた部分（端部）２から湾曲しており、板ばね１０のためのレバーアームを形成している。ポット状のヒンジ部４は、通常の方法により、家具のドア１１等の浅い止まり穴に挿入されており、ポット状のヒンジ部４の一部であるフランジ２９を介して家具に当接する。
【００２２】
ヒンジアーム１は、既知の方法により、偏心要素２２（第２の偏心調整用部品）を介して、図３〜図５に示す保持アーム２０の端面部１９に、すなわち保持アーム２０自体に結合されている。この保持アーム２０は、側壁２０′，２０″がある角度に曲げられかつ対応する穴３９においてリベット留めされた２つの横方向ピン４０により保持アーム２０の中央の端面部１９に対して保持されるように、湾曲している。側壁２０′，２０″の前端部分には、フレームと平行なリッジ部４１がそれぞれ設けられている。リッジ部４１は、型打ちした張り出し部分からなり、ヒンジアーム１のための案内部を形成している。保持アーム２０の端面部１９には溝４２が設けられており、張り出させることにより形成されたヒンジアーム１のリブ４３が、対応する溝４２内においてそれぞれ案内される。
【００２３】
偏心要素２２は、ねじ回し等により回転されると、ヒンジアーム１をリッジ部４１又は溝４２に沿って図１で矢印Ｂの方向（横方向）に調整する作用を発揮するように構成されている。
【００２４】
保持アーム２０のヒンジアーム１との接続部分から遠い方の端部は、偏心要素２８（第３の偏心調整用部品）を介して、図８〜図１０に示すアーム部２４に接続されている。このため、偏心要素２８の回転により保持アーム２０が図１で矢印Ａの方向（深さ方向）に調整される。この際の保持アーム２０の移動は、例えば図５及び図１０に明示するような、アーム部２４のリッジ部４４及びそれに対応して形成された保持アーム２０のリブ４５により確実に案内される。
【００２５】
アーム部２４の偏心要素２８から遠い方の端部の両側には、アイレットの要領で交差ピン２７を保持する、丸く巻かれた穴状部（被案内要素）２５が設けられている。さらに、この交差ピン２７は、図３に示す如く、保持アーム２０の側壁２０′，２０″内に設けられた長円形の開口２６を貫通している。
【００２６】
アーム部２４は、偏心要素５５（第１の偏心調整用部品）を介して図１１及び図１２に示す基板５０に接続されている。このために、基板５０には中央穴５３が設けられている。偏心要素５５の偏心軸は、この中央穴５３においてリベット留めされている。そして、偏心要素５５の偏心軸に隣接する軸部は、アーム部２４の長円形の開口５４内において支承されており、偏心要素５５の回転によりアーム部２４の図２で矢印Ｃの方向への垂直調整が行われる。
【００２７】
基板５０の前方中央部には、上方に湾曲しているとともに部分的に丸く巻かれた舌部５６（案内部）が設けられている。設置された状態において、この舌部５６は上記交差ピン２７に対してフックのように係合する。この舌部５６により、基板５０におけるアーム部２４の保持性及び案内性が向上する。基板５０には、アーム部２４の横方向及び下方に湾曲した突出部５８（被案内要素）のための案内部を構成する溝穴５７がさらに設けられている。横方向に延びた溝穴５７及び湾曲した突出部５８により、アーム部２４と基板５０との間においては如何なるカンティングも防止される。方向Ｃに偏心調整を施す間のアーム部２４のさらなる被案内部は、角度付きのリム５９（被案内要素）により構成されている。
【００２８】
最後に、基板５０は、取付け用の穴５２に通常の取付け用のねじを螺入することにより家具の壁部１２等に接続されるリーフ部５１を備えている。
【００２９】
以上のように、本発明のヒンジは、偏心要素２２による接続部を介して、方向Ｂへ変位可能に保持アーム２０に接続されたヒンジアーム１を備えている。保持アーム２０は、偏心要素２８による接続部を介して、方向Ａへ変位可能にアーム部２４に接続されている。そして、アーム部２４は、偏心要素５５による接続部を介して、方向Ｃへ変位可能に基板５０に接続されている。案内部４１，４２（リッジ部及び溝）は、これらに係合するヒンジアーム１及びその上に設けられたリブ４３の方向Ｂへの変位を偏心要素２２により可能とするために設けられている。また、偏心要素２８により可能となる保持アーム２０の方向Ａへの移動を案内するため、保持アーム２０には、アーム部２４のリッジ部４４に案内可能に係合するリブ４５が設けられている。そして、偏心要素５５により可能となるアーム部２４の方向Ｃへの移動を案内するため、基板５０の溝穴５７には、アーム部２４の湾曲した突出部５８が係合している。この移動は、アーム部２４の角度付きのリム５９によりさらに安定したものとなる。
【００３０】
基板５０、保持アーム２０及びアーム部２４は、舌部５６、長円形の開口２６及び穴状部２５を介して交差ピン２７においてそれぞれ保持されている。これにより、ヒンジの安定性が確保されるとともに、特に、アーム部２４の基板５０に対する方向Ｃへの移動の案内がさらに可能となる。
【００３１】
リベット留めされる偏心要素を用いる場合、取外し不可能な接続が形成されるため、取付け時の形状を極めて小さく抑えることができる。
【図面の簡単な説明】
【図１】  閉鎖状態における本発明に係るヒンジの縦断面図である。
【図２】  図１の方向IIから見たときの、家具本体の側部上のヒンジを示す平面図であり、図中の線Ｉの断面が図１を示している。
【図３】  図１及び図２に示すヒンジの保持アームの断面図である。
【図４】  図３の方向IVから見たときの保持アームの平面図であり、図中の線IIIの断面が図３を示している。
【図５】  図４の面Ｖに沿って切った保持アームの横断面図である。
【図６】  図１及び図２に示す本発明に係るヒンジのヒンジアームの断面図である。
【図７】  図６の方向VIIから見たときのヒンジアームの平面図であり、図中の線VIの断面が図６を示している。
【図８】  図１及び図２に示す本発明に係るヒンジのアーム部の断面図である。
【図９】  図８の方向IXから見たときのアーム部の平面図であり、図中の線VIIIの断面が図８を示している。
【図１０】  図９の面Ｘに沿って切ったアーム部の断面図である。
【図１１】  図１及び図２に示す本発明に係るヒンジの基板の断面図である。
【図１２】  図１１の方向XIIから見たときの基板の平面図であり、図中の線XIの断面が図１１を示している。
【符号の説明】
１      ヒンジアーム
２      丸く巻かれた端部
３      接続用の軸
４      ヒンジ部
７      基部
９      後端部
１０    板ばね
１１    ドア
１２    壁部
１５    カム
１９    端面部
２０    保持アーム
２０′  側壁
２０″  側壁
２２    偏心要素（第２の偏心調整用部品）
２４    アーム部
２５    穴状部（被案内要素）
２６    長円形の開口
２７    交差ピン
２８    偏心要素（第３の偏心調整用部品）
２９    フランジ
３１    舌部
３９    穴
４０    横方向ピン
４１    リッジ部
４２    溝
４３    リブ
４４    リッジ部
４５    リブ
５０    基板
５１    リーフ部
５２    締結用の穴
５３    中央穴
５４    長円形の開口
５５    偏心要素（第１の偏心調整用部品）
５６    舌部（案内部）
５７    溝穴（案内部）
５８    突出部（被案内要素）
５９    リム（被案内要素）
【図１】
0003891956.tif 000002
【図２】
0003891956.tif 000003
【図３】
0003891956.tif 000004
【図４】
0003891956.tif 000005
【図５】
0003891956.tif 000006
【図６】
0003891956.tif 000007
【図７】
0003891956.tif 000008
【図８】
0003891956.tif 000009
【図９】
0003891956.tif 000010
【図１０】
0003891956.tif 000011
【図１１】
0003891956.tif 000012
【図１２】
0003891956.tif 000013